(57)【要約】【課題】衣服の使用性を向上させることが可能になる、衣服を提供すること。【解決手段】衣服１は、着用者が着用する衣服であり、前身頃１０ａと後身頃とを有する下衣を少なくとも備えた衣服１であって、前身頃１０ａの内側股下部分１２ｃに設けられた右股下側開閉部４０及び左股下側開閉部５０であり、内側股下部分１２ｃを開閉自在とする右股下側開閉部４０及び左股下側開閉部５０と、前身頃１０ａの股上部分１１に設けられた第１股上側開閉部２０であり、股上部分１１を開閉自在とする第１股上側開閉部２０と、前身頃１０ａの部分のうち右股下側開閉部４０と左股下側開閉部５０と第１股上側開閉部２０とが最も近接する最近接部分に設けられた挿通孔６０であって、取付対象を挿通させるための挿通孔６０と、を備えた。【選択図】図３
0003213478.tif 000002
【実用新案登録請求の範囲】
【請求項１】
着用者が着用する衣服であり、前身頃と後身頃とを有する下衣を少なくとも備えた衣服であって、
前記前身頃又は前記後身頃の部分のうち前記着用者の内側股下に対応する内側股下部分に設けられた第１開閉部であり、前記内側股下部分を開閉自在とする第１開閉部と、
前記前身頃又は前記後身頃の部分のうち前記着用者の股上に対応する股上部分に設けられた第２開閉部であり、前記股上部分を開閉自在とする第２開閉部と、
を備えた衣服。
【請求項２】
前記前身頃又は前記後身頃の部分のうち前記第１開閉部と前記第２開閉部とが最も近接する最近接部分に設けられた挿通孔であって、前記着用者に取り付けられる取付対象を挿通させるための挿通孔を備えた、
請求項１に記載の衣服。
【請求項３】
前記挿通孔が前記前身頃又は前記後身頃の部分のうち前記着用者の股底に対応する股底部分又はその近傍部分に位置するように、前記第１開閉部及び前記第２開閉部を配置した、
請求項２に記載の衣服。
【請求項４】
前記挿通孔を介して当該衣服の内部が外部に露出することを防止するためのカバー手段を備えた、
請求項２又は３に記載の衣服。
【請求項５】
前記カバー手段を、当該衣服の内部のうち前記第１開閉部に対応する部分、前記挿通孔に対応する部分、及び前記第２開閉部に対応する部分にわたって設けた、
請求項４に記載の衣服。
【請求項６】
前記カバー手段と着脱自在に接続可能な接続手段であり、前記カバー手段を前記挿通孔に対応する部分に位置させた状態を維持するための接続手段を備えた、
請求項４又は５に記載の衣服。
【考案の詳細な説明】
【技術分野】
【０００１】
本考案は、衣服に関する。
【背景技術】
【０００２】
従来、病院や介護施設において患者等が着用する下衣として、患者等が下衣を着用した状態で、カテーテルを着用者に取り付けることができる下衣が提案されている。このような下衣としては、例えば、下衣の前面に設けられたファスナであって、下衣における脚部の裾口から腰部の上端に至る範囲を開閉可能なファスナと、ファスナに設けられた一対のスライダであって、ファスナのエレメントをかみ合わせたり離したりするための一対のスライダと、を備えている。そして、一対のスライダを所定距離だけ離間させることでファスナの一部（具体的には、ファスナの部分のうち、一対のスライダの相互間に対応する部分）のみを開放させることにより、この開放された部分にカテーテルを挿通することができるので、患者等にカテーテルを取り付けることが可能となる。
【先行技術文献】
【特許文献】
【０００３】
【特許文献１】特開２０１７−７５４１８号公報
【考案の概要】
【考案が解決しようとする課題】
【０００４】
しかしながら、上記従来の下衣においては、患者等にカテーテルを取り付ける場合に、ファスナの開放された部分にカテーテルを挿通するので、この挿通している状態では一対のスライダの移動が制限されることにより、ファスナの使用が阻害されるおそれがあることから、衣服の使用性の観点からは改善の余地があった。
【０００５】
本考案は、上記に鑑みてなされたものであって、衣服の使用性を向上させることが可能になる、衣服を提供することを目的とする。
【課題を解決するための手段】
【０００６】
請求項１に記載の衣服は、着用者が着用する衣服であり、前身頃と後身頃とを有する下衣を少なくとも備えた衣服であって、前記前身頃又は前記後身頃の部分のうち前記着用者の内側股下に対応する内側股下部分に設けられた第１開閉部であり、前記内側股下部分を開閉自在とする第１開閉部と、前記前身頃又は前記後身頃の部分のうち前記着用者の股上に対応する股上部分に設けられた第２開閉部であり、前記股上部分を開閉自在とする第２開閉部と、を備えた。
【０００７】
請求項２に記載の衣服は、請求項１に記載の衣服において、前記前身頃又は前記後身頃の部分のうち前記第１開閉部と前記第２開閉部とが最も近接する最近接部分に設けられた挿通孔であって、前記着用者に取り付けられる取付対象を挿通させるための挿通孔を備えた。
【０００８】
請求項３に記載の衣服は、請求項２に記載の衣服において、前記挿通孔が前記前身頃又は前記後身頃の部分のうち前記着用者の股底に対応する股底部分又はその近傍部分に位置するように、前記第１開閉部及び前記第２開閉部を配置した。
【０００９】
請求項４に記載の衣服は、請求項２又は３に記載の衣服において、前記挿通孔を介して当該衣服の内部が外部に露出することを防止するためのカバー手段を備えた。
【００１０】
請求項５に記載の衣服は、請求項４に記載の衣服において、前記カバー手段を、当該衣服の内部のうち前記第１開閉部に対応する部分、前記挿通孔に対応する部分、及び前記第２開閉部に対応する部分にわたって設けた。
【００１１】
請求項６に記載の衣服は、請求項４又は５に記載の衣服において、前記カバー手段と着脱自在に接続可能な接続手段であり、前記カバー手段を前記挿通孔に対応する部分に位置させた状態を維持するための接続手段を備えた。
【考案の効果】
【００１２】
請求項１に記載の衣服によれば、前身頃又は後身頃の部分のうち内側股下部分に設けられた第１開閉部と、前身頃又は後身頃の部分のうち股上部分に設けられた第２開閉部とを備えているので、第１開閉部又は第２開閉部のいずれか一方の一部を挿通孔として利用する場合に、第１開閉部又は第２開閉部のいずれか他方の使用が阻害されることを回避できる。よって、従来技術（下衣における脚部の裾口から腰部の上端に至る範囲を開閉可能な１つの開閉部を備える技術）に比べて、衣服の使用性を維持することが可能となる。
【００１３】
請求項２に記載の衣服によれば、前身頃又は後身頃の部分のうち第１開閉部と第２開閉部とが最も近接する最近接部分に設けられた挿通孔であって、取付対象を挿通させるための挿通孔を備えているので、第１開閉部又は第２開閉部の一部を挿通孔として利用する場合に比べて、第１開閉部又は第２開閉部の使用が阻害されることを回避でき、衣服の使用性を維持することが可能となる。また、前身頃の部分のうち最近接部分以外の部分に挿通孔を設ける場合に比べて、挿通孔を目立ちにくくすることができ、衣服の意匠性を維持することが可能となる。
【００１４】
請求項３に記載の衣服によれば、挿通孔が前身頃又は後身頃の部分のうち股底部分又はその近傍部分に位置するように、第１開閉部及び第２開閉部を配置したので、挿通孔を前身頃の股底部分以外の部分に設けた場合に比べて、挿通孔を目立ちにくくすることができ、衣服の意匠性を一層維持することが可能となる。
【００１５】
請求項４に記載の衣服によれば、挿通孔を介して当該衣服の内部が外部に露出することを防止するためのカバー手段を備えたので、衣服の内部（具体的には、着用者の肌又は着用者が着用している下着やおむつ等）が外部に露出することを防止することができ、着用者の利便性を向上させることが可能になる。
【００１６】
請求項５に記載の衣服によれば、カバー手段を、当該衣服の内部のうち第１開閉部に対応する部分、挿通孔に対応する部分、及び第２開閉部に対応する部分にわたって設けたので、例えば、カバー手段を挿通孔に対応する部分のみに設けた場合に比べて、着用者が衣服を着用した状態においてカバー部が折り曲げられることで挿通孔を介して当該衣服の内部が外部に露出することを抑制でき、着用者の利便性を一層向上させることが可能になる。
【００１７】
請求項６に記載の衣服によれば、カバー手段と着脱自在に接続可能な接続手段であり、カバー手段を挿通孔に対応する部分に位置させた状態を維持するための接続手段を備えたので、カバー部を衣服の内部における挿通孔に対応する部分に位置させた状態を維持でき、衣服の内部が外部に露出することを一層防止することが可能となる。
【図面の簡単な説明】
【００１８】
【図１】本考案の実施の形態に係る衣服の構成を示す正面図である。
【図２】図１の衣服の背面図である。
【図３】第１股上側開閉部、第２股上側開閉部、右股下側開閉部、及び左股下側開閉部の少なくとも一部を開放した状態を示す正面図である。
【図４】図３に示すカバー部周辺の領域を示す拡大図である（一部図示省略）。
【図５】衣服の変形例を示す正面図である。
【図６】図５に示す係止部及び被係止部周辺の領域を示す正面図である。
【考案を実施するための形態】
【００１９】
以下に添付図面を参照して、この考案に係る衣服の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本考案が限定されるものではない。
【００２０】
〔Ｉ〕実施の形態の基本的概念
最初に、実施の形態の基本的概念について説明する。実施の形態は、概略的に、着用者が着用する衣服に関するものである。
【００２１】
ここで、「着用者」とは、衣服を着用する対象者を意味し、例えば、病院や災害避難所に入所している（又は診療を受けている）患者、介護施設に入所している要介護者、リラクゼーション施設（一例として、エステティックサロン等）で施術を受ける被施術者等を含む概念です。また、「衣服」とは、着用者が着用する衣類であり、例えば、医療用（一例として、リハビリ用、診療用、手術用等）、介護用、又はエステ用の下衣（一例として、長ズボン、半ズボン、スカート等）や上下繋ぎ式の衣服等を含む概念である。以下、実施の形態では、衣服を、病院に入所している着用者がリハビリを行う際に着用する下衣（具体的には、長ズボン）に適用した場合について説明する。
【００２２】
〔ＩＩ〕実施の形態の具体的内容
次に、実施の形態の具体的内容について説明する。
【００２３】
（構成）
最初に、実施の形態に係る衣服の構成について説明する。図１は、実施の形態に係る衣服の構成を示す正面図であって、後述する第１股上側開閉部２０、後述する第２股上側開閉部３０、後述する右股下側開閉部４０、及び後述する左股下側開閉部５０を閉鎖した状態を示す正面図である。図２は、図１の衣服の背面図である。図３は、後述する第１股上側開閉部２０、後述する第２股上側開閉部３０、後述する右股下側開閉部４０、及び後述する左股下側開閉部５０の少なくとも一部を開放した状態を示す正面図である。以下の説明では、図１のＸ方向を左右方向（着用者から見た方向を基準とするものとし、−Ｘ方向を右方向、＋Ｘ方向を左方向）、図１のＹ方向を上下方向（＋Ｙ方向を上方向、−Ｙ方向を下方向）、Ｘ方向及びＹ方向に直交する方向を前後方向（図１の紙面の手前側に至る方向を前方向、図１の紙面の奥側に至る方向を後方向）と称する。また、図１の衣服の中心位置を基準として、衣服から離れる方向を「外側」と称し、衣服に近づく方向を「内側」と称する。図１から図３に示すように、衣服１は、衣服本体１０、第１股上側開閉部２０、第２股上側開閉部３０、右股下側開閉部４０、左股下側開閉部５０、挿通孔６０、及びカバー部７０を備えている。
【００２４】
（構成−衣服本体）
まず、衣服本体１０の構成について説明する。衣服本体１０は、衣服１の基本構造体であり、図１、図２に示すように、着用者の下半身を覆うことが可能な略中空状体にて形成されている。また、以下に示す通りに、説明の都合上、衣服本体１０を２つの領域に区分して説明する。
【００２５】
すなわち、この衣服本体１０は、着用者の腹側を覆う前身頃１０ａと、着用者の臀部側を覆う後身頃１０ｂとを備えている。また、前身頃１０ａ及び後身頃１０ｂの各々の部分のうち、着用者の股上に対応する部分を「股上部分１１」と称し、着用者の股下に対応する部分を「股下部分１２」と称し、着用者の股底に対応する部分を「股底部分１３」と称する。また、股下部分１２のうち、着用者の右側股下に対応する部分を「右側股下部分１２ａ」と称し、着用者の左側股下に対応する部分を「左側股下部分１２ｂ」と称する。また、右側股下部分１２ａ及び左側股下部分１２ｂの各々の部分のうち、着用者の内側股下に対応する部分を「内側股下部分１２ｃ」と称し、着用者の外側股下に対応する部分を「外側股下部分１２ｄ」と称する。また、股上部分１１の上端部を腰口部１４と称し、股下部分１２の下端部を裾口部１５と称する。また、衣服本体１０の側面のうち、着用者の肌面に対向する側の側面を「衣服内側面」と称し、着用者の肌面に対向する側とは反対側の側面を「衣服外側面」と称する。
【００２６】
図１に戻り、また、この衣服本体１０の具体的な構成については任意であるが、実施の形態では、図１、図３に示すように、股上側切欠部１６ａ、右股下側切欠部１６ｂ、左股下側切欠部１６ｃ、及び持出部１７を備えている。
【００２７】
（構成−衣服本体−股上側切欠部、右股下側切欠部、左股下側切欠部）
図１に戻り、股上側切欠部１６ａは、衣服１（特に、股上部分１１）の着脱を補助したり、又は着用者が着用している下着やおむつの着脱を補助するための切欠部であり、図１、図３に示すように、前身頃１０ａの股上部分１１における左右方向の内側部分において、当該内側部分の上端部から下端部に至る部分にわたって形成されている。
【００２８】
図１に戻り、右股下側切欠部１６ｂは、衣服１（特に、右側股下部分１２ａ）の着脱を補助したり、又は着用者が着用している下着やおむつの着脱を補助するための切欠部であり、図１、図３に示すように、前身頃１０ａの右側股下部分１２ａにおける内側股下部分１２ｃにおいて、当該内側股下部分１２ｃの上端部から下端部に至る部分にわたって形成されている。
【００２９】
図１に戻り、左股下側切欠部１６ｃは、衣服１（特に、左側股下部分１２ｂ）の着脱を補助したり、又は着用者が着用している下着やおむつの着脱を補助するための切欠部であり、図１、図３に示すように、前身頃１０ａの左側股下部分１２ｂにおける内側股下部分１２ｃにおいて、当該内側股下部分１２ｃの上端部から下端部に至る部分にわたって形成されている。
【００３０】
（構成−衣服本体−持出部）
持出部１７は、後述する左股下側開閉部５０（例えば、後述する左股下側開閉部５０の右側務歯部５１や左側務歯部５２等）が着用者に接触することを回避するためのものであり、前身頃１０ａの左側股下部分１２ｂに対応する部分に設けられており、左側股下部分１２ｂにおける左股下側切欠部１６ｃの左側近傍部分に対して接続されている。
【００３１】
また、このように構成された衣服本体１０の材質は任意であるが、例えば、着用者が動きやすい材質で形成されることが望ましく、一例として、軽量且つ伸縮性を有する公知の織物素材や、表地をポリエステル材とし、裏地を綿材（又はキュプラ材）とした公知の多層ニット素材、又はこれらを組み合わせたもの等にて形成されている。
【００３２】
（構成−第１股上側開閉部）
次に、第１股上側開閉部２０の構成について説明する。第１股上側開閉部２０は、前身頃１０ａの股上部分１１（具体的には、股上側切欠部１６ａ）を開閉自在とする第２開閉部である。この第１股上側開閉部２０は、例えば公知の衣類用の線ファスナ（一例として、樹脂製又は金属製の線ファスナ等）を用いて構成されており、図３に示すように、右側務歯部２１、左側務歯部（図示省略）、及びスライダ部（図示省略）を備えている。
【００３３】
（構成−第１股上側開閉部−右側務歯部、左側務歯部）
右側務歯部２１及び左側務歯部は、スライダ部が移動することで、互いにかみ合ったり離れたりする部分である。図３に示すように、右側務歯部２１は、股上部分１１における股上側切欠部１６ａの右側近傍部分において、股上側切欠部１６ａの略全長にわたって設けられており、テープ部（図示省略）を介して股上部分１１に対して接続されている。左側務歯部は、股上部分１１における股上側切欠部１６ａの左側近傍部分において、股上側切欠部１６ａの略全長にわたって設けられており、テープ部（図示省略）を介して股上部分１１に対して接続されている。また、右側務歯部２１及び左側務歯部の各々の上端部には、スライダ部が右側務歯部２１及び左側務歯部から外れることを防止するための止部（図示省略）が設けられている。
【００３４】
（構成−第１股上側開閉部−スライダ部）
スライダ部は、右側務歯部２１及び左側務歯部をかみ合わせたり離したりするための部分であり、右側務歯部２１と左側務歯部との相互間に設けられており、左側務歯部に対して嵌合構造等にて接続されている。
【００３５】
（構成−第２股上側開閉部）
図１に戻り、次に、第２股上側開閉部３０の構成について説明する。第２股上側開閉部３０は、股上部分１１（具体的には、股上側切欠部１６ａ）を開閉自在とする第２開閉部であり、図１、図３に示すように、取付部３１及び取付孔３２を備えている。
【００３６】
（構成−第２股上側開閉部−取付部）
図１に戻り、取付部３１は、股上部分１１における股上側切欠部１６ａの右側部分を股上部分１１における股上側切欠部１６ａの左側部分に取り付けるためのものであり、例えば公知の衣類用の取付具（一例として、ボタン等）を用いて構成されており、図１、図３に示すように、後述する第１カバー部７１における衣服外側面の上端部に取り付けられている。
【００３７】
（構成−第２股上側開閉部−取付孔）
取付孔３２は、取付部３１を取り付けるための貫通孔であり、図３に示すように、股上部分１１における股上側切欠部１６ａの左側部分の上端部に設けられている。
【００３８】
（構成−右股下側開閉部）
図１に戻り、次に、右股下側開閉部４０の構成について説明する。右股下側開閉部４０は、右側股下部分１２ａの内側股下部分１２ｃ（具体的には、右股下側切欠部１６ｂ）を開閉自在とする第１開閉部である。この右股下側開閉部４０は、例えば公知の衣類用の線ファスナ（一例として、樹脂製又は金属製の線ファスナ等）を用いて構成されており、図１、図３に示すように、右側務歯部４１、左側務歯部４２、上側スライダ部４３、及び下側スライダ部４４を備えている。なお、これら右側務歯部４１及び左側務歯部４２は、第１股上側開閉部２０の同一名称の構成要素と略同一に構成されているので、その詳細な説明を省略する。
【００３９】
（構成−右股下側開閉部−上側スライダ部、下側スライダ部）
図１に戻り、上側スライダ部４３及び下側スライダ部４４は、右側務歯部４１及び左側務歯部４２をかみ合わせたり離したりするための部分であり、図１、図３に示すように、右側務歯部４１と左側務歯部４２との相互間に設けられており（具体的には、上側スライダ部４３が下側スライダ部４４よりも上側に位置するように設けられており）、左側務歯部４２に対して嵌合構造等にて接続されている。なお、右側務歯部４１及び左側務歯部４２の各々の上端部及び下端部に止部（図示省略）が設けられているので、上側スライダ部４３及び下側スライダ部４４が、右側務歯部４１及び左側務歯部４２から外れることを防止できる。
【００４０】
（構成−左股下側開閉部）
図１に戻り、次に、左股下側開閉部５０の構成について説明する。左股下側開閉部５０は、左側股下部分１２ｂの内側股下部分１２ｃ（具体的には、左股下側切欠部１６ｃ）を開閉自在とする第１開閉部である。この左股下側開閉部５０は、例えば公知の衣類用の線ファスナ（一例として、樹脂製又は金属製の線ファスナ等）を用いて構成されており、図１、図３に示すように、右側務歯部５１、左側務歯部５２、上側スライダ部５３、及び下側スライダ部５４を備えている。なお、これら右側務歯部５１、左側務歯部５２、上側スライダ部５３、及び下側スライダ部５４は、右股下側開閉部４０の同一名称の構成要素と略同一に構成されているので、その詳細な説明を省略する。
【００４１】
（構成−挿通孔）
次に、挿通孔６０の構成について説明する。挿通孔６０は、取付対象（図示省略）を挿通させるための孔である。ここで、「取付対象」とは、着用者に取り付けられる対象を意味し、例えば、排尿パイプ等の医療用又は介護用チューブや、エステ用チューブ等を含む概念であるが、実施の形態では、排尿パイプとして説明する。
【００４２】
この挿通孔６０は、前身頃１０ａの最近接部分に設けられており、具体的には、図３に示すように、前身頃１０ａの股底部分１３（図３では、股底部分１３の前側部分）に設けられている。ここで、「最近接部分」とは、前身頃１０ａの部分のうち、第１股上側開閉部２０と、右股下側開閉部４０と、左股下側開閉部５０とが最も近接する部分を意味し、実施の形態では、第１股上側開閉部２０の下端部と、右股下側開閉部４０の上端部と、左股下側開閉部５０の上端部とが近接する部分として説明する。この場合において、第１股上側開閉部２０、右股下側開閉部４０、及び左股下側開閉部５０の設置方法については、実施の形態では、挿通孔６０が前身頃１０ａの股底部分１３の前側部分に位置するように設けている。このような設置により、挿通孔６０を前身頃１０ａの股底部分１３以外の部分に設けた場合に比べて、挿通孔６０を目立ちにくくすることができ、衣服１の意匠性を維持できる。
【００４３】
また、挿通孔６０の具体的な形状及び大きさについては任意であるが、実施の形態では、第１股上側開閉部２０、右股下側開閉部４０、及び左股下側開閉部５０を閉鎖した状態においては、以下の通りに設定されている。すなわち、まず、挿通孔６０の形状については、円形状に設定されている。ただし、これに限られず、例えば楕円形状又は多角形状（一例として、四角形状等）に設定されてもよい。また、挿通孔６０の径については、取付対象の外径と略同一又はそれよりも若干大きく設定されている。なお、この挿通孔６０は、第１股上側開閉部２０、右股下側開閉部４０、又は左股下側開閉部５０を開放した状態において、第１股上側開閉部２０、右股下側開閉部４０、及び左股下側開閉部５０を閉鎖した状態よりも拡張される。
【００４４】
（構成−カバー部）
次に、カバー部７０の構成について説明する。図４は、図３に示すカバー部７０周辺の領域を示す拡大図である。カバー部７０は、挿通孔６０を介して衣服１の内部（具体的には、着用者の肌又は着用者が着用している下着やおむつ等）が外部に露出することを防止するためのカバー手段であり、図３、図４に示すように、第１カバー部７１及び第２カバー部７２を備えている。
【００４５】
（構成−カバー部−第１カバー部）
第１カバー部７１は、Ｊ字状のシート状体であり、図３、図４に示すように、衣服１の内部において、第１股上側開閉部２０、第２股上側開閉部３０、挿通孔６０、及び右股下側開閉部４０の上端部に対応する位置（具体的には、第１股上側開閉部２０、第２股上側開閉部３０、挿通孔６０、及び右股下側開閉部４０の上端部、並びにそれらの近傍部分に対応する位置）に設けられており、前身頃１０ａの股上部分１１における股上側切欠部１６ａの右側近傍部分、及び前身頃１０ａの右側股下部分１２ａにおける右股下側切欠部１６ｂの右側近傍部分に対して接続されている。
【００４６】
（構成−カバー部−第２カバー部）
第２カバー部７２は、長方形状のシート状体であり、図４に示すように、衣服１の内部において、右股下側開閉部４０の上端部以外の部分に対応する位置（具体的には、右股下側開閉部４０の上端部以外の部分及びその近傍部分に対応する位置）に設けられており、前身頃１０ａの右側股下部分１２ａにおける右股下側切欠部１６ｂの右側近傍部分に対して接続されている。なお、これら第１カバー部７１及び第２カバー部７２が設けられることにより、カバー部７０は、衣服１の内部において、第１股上側開閉部２０に対応する部分、挿通孔６０に対応する部分、及び右股下側開閉部４０に対応する部分にわたって設けられていると言える。
【００４７】
また、このカバー部７０の形成方法については任意であるが、実施の形態では、カバー部７０の製造性を高めるために、第１カバー部７１及び第２カバー部７２を一体に形成している。ただし、これに限られず、例えば、第１カバー部７１及び第２カバー部７２を別体に形成し、第１カバー部７１及び第２カバー部７２を公知の方法で接続した後に、この接続されたものを衣服本体１０に接続してもよい。
【００４８】
また、このような構成されたカバー部７０の材質については任意であるが、実施の形態では、衣服１の製造性を高めるために、衣服本体１０の材質と略同一の材質にて形成されている。ただし、これに限られず、例えば、衣服本体１０の材質とは異なる材質にて形成されてもよい。
【００４９】
このようなカバー部７０の構成により、衣服１の内部（具体的には、着用者の肌又は着用者が着用している下着やおむつ等）が外部に露出することを防止することができ、着用者の利便性を向上させることが可能になる。特に、カバー部７０を、第１股上側開閉部２０に対応する部分、挿通孔６０に対応する部分、及び右股下側開閉部４０に対応する部分にわたって設けているので、例えば、カバー手段を挿通孔６０に対応する部分のみに設けた場合に比べて、着用者が衣服１を着用した状態（以下、「着用状態」と称する）においてカバー部７０が折り曲げられることで挿通孔６０を介して当該衣服１の内部が外部に露出することを抑制でき、着用者の利便性を一層向上させることが可能になる。
【００５０】
また、以上のような衣服１の構成により、前身頃１０ａの部分のうち内側股下部分１２ｃに設けられた右股下側開閉部４０及び左股下側開閉部５０と、前身頃１０ａの部分のうち股上部分１１に設けられた第１股上側開閉部２０とを備えているので、右股下側開閉部４０及び左股下側開閉部５０、あるいは第１股上側開閉部２０のいずれか１つの開閉部の一部を挿通孔６０として利用する場合に、右股下側開閉部４０及び左股下側開閉部５０、あるいは第１股上側開閉部２０のいずれか１つ以外の他の開閉部の使用が阻害されることを回避できる。よって、従来技術（下衣における脚部の裾口から腰部の上端に至る範囲を開閉可能な１つの開閉部を備える技術）に比べて、衣服１の使用性を維持することが可能となる。また、前身頃１０ａの部分のうち最近接部分に設けられた挿通孔６０を備えているので、第１股上側開閉部２０、右股下側開閉部４０、又は左股下側開閉部５０の一部を挿通孔６０として利用する場合に比べて、第１股上側開閉部２０、右股下側開閉部４０、又は左股下側開閉部５０の使用が阻害されることを回避でき、衣服１の使用性を維持することが可能となる。また、前身頃１０ａの部分のうち最近接部分以外の部分に挿通孔６０を設ける場合に比べて、挿通孔６０を目立ちにくくすることができ、衣服１の意匠性を維持することが可能となる。
【００５１】
（衣服の作用）
図１に戻り、続いて、このように構成された衣服１の作用について説明する。
【００５２】
すなわち、着用状態において、着用者に取付対象が取り付けられていない場合には、第１股上側開閉部２０、右股下側開閉部４０、若しくは左股下側開閉部５０の一部を開放した部分、又は挿通孔６０に取付対象が挿通されることにより、取付対象が着用者に取り付けられる。また、第１股上側開閉部２０、右股下側開閉部４０、及び左股下側開閉部５０が開閉されることにより、例えば着用者が着用している下着やおむつの着脱を行うことができる。また、挿通孔６０が前身頃１０ａの最近接部分（股底部分１３の前側部分）に設けられているので、図１に示すように、挿通孔６０が目立ちにくくなる。さらに、カバー部７０が衣服１に設けられているので、衣服１の内部（具体的には、着用者の肌又は着用者が着用している下着やおむつ等）が外部に露出することを防止できる。
【００５３】
また、着用状態において、着用者に取付対象が挿通孔６０を介して取り付けられている場合には、着用者に取付対象が取り付けられていない場合と同様に、第１股上側開閉部２０、右股下側開閉部４０、及び左股下側開閉部５０が開閉され得る。すなわち、第１股上側開閉部２０、右股下側開閉部４０、及び左股下側開閉部５０の使用性が維持されるので、取付対象によって第１股上側開閉部２０、右股下側開閉部４０、及び左股下側開閉部５０の使用が阻害されることを回避できる。
【００５４】
（実施の形態の効果）
このように実施の形態によれば、前身頃１０ａの部分のうち内側股下部分１２ｃに設けられた右股下側開閉部４０及び左股下側開閉部５０と、前身頃１０ａの部分のうち股上部分１１に設けられた第１股上側開閉部２０とを備えているので、第１股上側開閉部２０、右股下側開閉部４０、又は左股下側開閉部５０のいずれか１つの開閉部の一部を挿通孔６０として利用する場合に、第１股上側開閉部２０、右股下側開閉部４０、又は左股下側開閉部５０のいずれか１つ以外の他の開閉部の使用が阻害されることを回避できる。よって、従来技術（下衣における脚部の裾口から腰部の上端に至る範囲を開閉可能な１つの開閉部を備える技術）に比べて、衣服１の使用性を維持することが可能となる。
【００５５】
また、前身頃１０ａの部分のうち第１股上側開閉部２０、右股下側開閉部４０、及び左股下側開閉部５０が最も近接する最近接部分に設けられた挿通孔６０を備えているので、第１股上側開閉部２０、右股下側開閉部４０、又は左股下側開閉部５０の一部を挿通孔６０として利用する場合に比べて、第１股上側開閉部２０、右股下側開閉部４０、又は左股下側開閉部５０の使用が阻害されることを回避でき、衣服１の使用性を維持することが可能となる。また、前身頃１０ａの部分のうち最近接部分以外の部分に挿通孔６０を設ける場合に比べて、挿通孔６０を目立ちにくくすることができ、衣服１の意匠性を維持することが可能となる。
【００５６】
また、挿通孔６０が前身頃１０ａの股底部分１３に位置するように、第１股上側開閉部２０、右股下側開閉部４０、及び左股下側開閉部５０を配置したので、挿通孔６０を前身頃１０ａの股底部分１３以外の部分に設けた場合に比べて、挿通孔６０を目立ちにくくすることができ、衣服１の意匠性を一層維持することが可能となる。
【００５７】
また、挿通孔６０を介して衣服１の内部が外部に露出することを防止するためのカバー部７０を備えたので、衣服１の内部（具体的には、着用者の肌又は着用者が着用している下着やおむつ等）が外部に露出することを防止することができ、着用者の利便性を向上させることが可能になる。
【００５８】
また、カバー部７０を、衣服１の内部のうち第１股上側開閉部２０に対応する部分、挿通孔６０に対応する部分、及び右股下側開閉部４０に対応する部分にわたって設けたので、例えば、カバー部７０を挿通孔６０に対応する部分のみに設けた場合に比べて、着用者が衣服１を着用した状態においてカバー部７０が折り曲げられることで挿通孔６０を介して衣服１の内部が外部に露出することを抑制でき、着用者の利便性を一層向上させることが可能になる。
【００５９】
〔ＩＩＩ〕実施の形態に対する変形例
以上、本考案に係る実施の形態について説明したが、本考案の具体的な構成及び手段は、実用新案登録請求の範囲に記載した各考案の技術的思想の範囲内において、任意に改変及び改良することができる。以下、このような変形例について説明する。
【００６０】
（解決しようとする課題や考案の効果について）
まず、考案が解決しようとする課題や考案の効果は、上述の内容に限定されるものではなく、考案の実施環境や構成の細部に応じて異なる可能性があり、上述した課題の一部のみを解決したり、上述した効果の一部のみを奏したりすることがある。
【００６１】
（形状、数値、構造、時系列について）
上記実施の形態や図面において例示した構成要素に関して、形状、数値、又は複数の構成要素の構造若しくは時系列の相互関係については、本考案の技術的思想の範囲内において、任意に改変及び改良することができる。例えば、衣服本体１０における各部は、特記する場合を除いて、上記説明とは異なる形状、方法、及び材質で製造することができる。
【００６２】
（衣服について）
上記実施の形態では、衣服１が、カバー部７０を備えていると説明したが、これに限られず、例えば、カバー部７０を省略してもよい。
【００６３】
また、上記実施の形態では、衣服１の第１股上側開閉部２０、第２股上側開閉部３０、右股下側開閉部４０、左股下側開閉部５０、挿通孔６０、及びカバー部７０が、前身頃１０ａに設けられていると説明したが、これに限られず、例えば、後身頃１０ｂに設けられてもよく、あるいは、前身頃１０ａ及び後身頃１０ｂの両方に設けられてもよい。
【００６４】
また、上記実施の形態では、衣服１が、第１股上側開閉部２０、第２股上側開閉部３０、右股下側開閉部４０、左股下側開閉部５０、挿通孔６０、及びカバー部７０を備えていると説明したが、これに限られない。図５は、衣服１の変形例を示す正面図である。図６は、図５に示す後述する係止部８１及び被係止部８２周辺の領域を示す正面図である。例えば、図５、図６に示すように、衣服１は、上記構成要素に加えて、接続部８０を備えてもよい。接続部８０は、カバー部７０（第１カバー部７１）と着脱自在に接続可能な接続手段であって、カバー部７０を挿通孔６０に対応する部分に位置させた状態を維持するための接続手段であり、係止部８１及び被係止部８２を備えている。このうち、係止部８１は、例えば公知の衣類用の係止部材（一例として、スナップボタンの雄部）を用いて構成されており、持出部１７の衣服内側面のうち第１カバー部７１と重複する部分に取り付けられている。また、被係止部８２は、例えば公知の衣類用の被係止部材（一例として、スナップボタンの雌部）を用いて構成されており、第１カバー部７１の衣服外側面のうち持出部１７と重複する部分に取り付けられている。これにより、カバー部７０を衣服１の内部における挿通孔６０に対応する部分に位置させた状態を維持でき、衣服１の内部が外部に露出することを一層防止することが可能となる。
【００６５】
（衣服本体について）
上記実施の形態では、衣服本体１０が、持出部１７を備えていると説明したが、例えば、持出部１７を省略してもよい。また、上記実施の形態では、持出部１７が、左側股下部分１２ｂにおける左股下側切欠部１６ｃの左側近傍部分に対して接続されていると説明したが、これに限られず、左側股下部分１２ｂにおける左股下側切欠部１６ｃの右側近傍部分に対して接続されてもよい。
【００６６】
（各種の開閉部について）
上記実施の形態では、第１股上側開閉部２０、右股下側開閉部４０、及び左股下側開閉部５０が、線ファスナを用いて構成されていると説明したが、これに限られない。例えば、面ファスナ、複数のボタン（一例として、普通ボタン、ロック機能につきボタン、クイックリリース式のボタン等）、マジックテープ（登録商標）等を用いて構成されてもよい。
【００６７】
また、上記実施の形態では、右股下側開閉部４０及び左股下側開閉部５０が、別体として形成されていると説明したが、これに限られず、一体形成されてもよい。
【００６８】
また、上記実施の形態では、第１股上側開閉部２０、右股下側開閉部４０、及び左股下側開閉部５０が、前身頃１０ａの股底部分１３に位置するように設けられていると説明したが、これに限られず、例えば、上記股底部分１３の近傍部分（一例として、前身頃１０ａの股上部分１１における股底部分１３の近傍部分）に設けられてもよい。
【００６９】
（最近接部分について）
上記実施の形態では、最近接部分が、前身頃１０ａの部分のうち、第１股上側開閉部２０の下端部と、右股下側開閉部４０の上端部と、左股下側開閉部５０の上端部とが近接する部分であると説明したが、これに限られず、例えば、上記部分以外の部分であって、第１股上側開閉部２０と、右股下側開閉部４０と、左股下側開閉部５０とが最も近接する部分であってもよい。一例として、第１股上側開閉部２０の下端部と、右股下側開閉部４０の上端部よりも下方側の部分と、左股下側開閉部５０の上端部とが近接する部分であってもよい。
【００７０】
（カバー部について）
上記実施の形態では、カバー部７０の第１カバー部７１が、前身頃１０ａの股上部分１１における股上側切欠部１６ａの右側近傍部分、及び前身頃１０ａの右側股下部分１２ａにおける右股下側切欠部１６ｂの右側近傍部分に対して接続されていると説明したが、これに限られず、例えば、身頃１０ａの股上部分１１における股上側切欠部１６ａの右側近傍部分、及び前身頃１０ａの右側股下部分１２ａにおける右股下側切欠部１６ｂの右側近傍部分に対して接続されてもよい。また、カバー部７０の第２カバー部７２が、前身頃１０ａの右側股下部分１２ａにおける右股下側切欠部１６ｂの右側近傍部分に対して接続されていると説明したが、これに限られず、例えば、前身頃１０ａの右側股下部分１２ａにおける右股下側切欠部１６ｂの左側近傍部分に対して接続されてもよい。
【００７１】
また、上記実施の形態では、カバー部７０が、第１カバー部７１及び第２カバー部７２を備えていると説明したが、これに限られず、例えば、第１カバー部７１のみを備えてもよい。
【００７２】
また、上記実施の形態では、カバー部７０の第１カバー部７１が、衣服１の内部において、第１股上側開閉部２０、第２股上側開閉部３０、挿通孔６０、及び右股下側開閉部４０の上端部に対応する位置に設けられていると説明したが、これに限られない。例えば、衣服１の内部において、挿通孔６０のみに対応する位置に設けられてもよい。
【００７３】
（付記）
付記１の衣服は、着用者が着用する衣服であり、前身頃と後身頃とを有する下衣を少なくとも備えた衣服であって、前記前身頃又は前記後身頃の部分のうち前記着用者の内側股下に対応する内側股下部分に設けられた第１開閉部であり、前記内側股下部分を開閉自在とする第１開閉部と、前記前身頃又は前記後身頃の部分のうち前記着用者の股上に対応する股上部分に設けられた第２開閉部であり、前記股上部分を開閉自在とする第２開閉部と、を備えた。
【００７４】
付記２の衣服は、付記１に記載の衣服において、前記前身頃又は前記後身頃の部分のうち前記第１開閉部と前記第２開閉部とが最も近接する最近接部分に設けられた挿通孔であって、前記着用者に取り付けられる取付対象を挿通させるための挿通孔を備えた。
【００７５】
付記３の衣服は、付記２に記載の衣服において、前記挿通孔が前記前身頃又は前記後身頃の部分のうち前記着用者の股底に対応する股底部分又はその近傍部分に位置するように、前記第１開閉部及び前記第２開閉部を配置した。
【００７６】
付記４の衣服は、付記２又は３に記載の衣服において、前記挿通孔を介して当該衣服の内部が外部に露出することを防止するためのカバー手段を備えた。
【００７７】
付記５の衣服は、付記４に記載の衣服において、前記カバー手段を、当該衣服の内部のうち前記第１開閉部に対応する部分、前記挿通孔に対応する部分、及び前記第２開閉部に対応する部分にわたって設けた。
【００７８】
付記６の衣服は、付記４又は５に記載の衣服において、前記カバー手段と着脱自在に接続可能な接続手段であり、前記カバー手段を前記挿通孔に対応する部分に位置させた状態を維持するための接続手段を備えた。
【００７９】
（付記の効果）
付記１に記載の衣服によれば、前身頃又は後身頃の部分のうち内側股下部分に設けられた第１開閉部と、前身頃又は後身頃の部分のうち股上部分に設けられた第２開閉部とを備えているので、第１開閉部又は第２開閉部のいずれか一方の一部を挿通孔として利用する場合に、第１開閉部又は第２開閉部のいずれか他方の使用が阻害されることを回避できる。よって、従来技術（下衣における脚部の裾口から腰部の上端に至る範囲を開閉可能な１つの開閉部を備える技術）に比べて、衣服の使用性を維持することが可能となる。
【００８０】
付記２に記載の衣服によれば、前身頃又は後身頃の部分のうち第１開閉部と第２開閉部とが最も近接する最近接部分に設けられた挿通孔であって、取付対象を挿通させるための挿通孔を備えているので、第１開閉部又は第２開閉部の一部を挿通孔として利用する場合に比べて、第１開閉部又は第２開閉部の使用が阻害されることを回避でき、衣服の使用性を維持することが可能となる。また、前身頃の部分のうち最近接部分以外の部分に挿通孔を設ける場合に比べて、挿通孔を目立ちにくくすることができ、衣服の意匠性を維持することが可能となる。
【００８１】
付記３に記載の衣服によれば、挿通孔が前身頃又は後身頃の部分のうち股底部分又はその近傍部分に位置するように、第１開閉部及び第２開閉部を配置したので、挿通孔を前身頃の股底部分以外の部分に設けた場合に比べて、挿通孔を目立ちにくくすることができ、衣服の意匠性を一層維持することが可能となる。
【００８２】
付記４に記載の衣服によれば、挿通孔を介して当該衣服の内部が外部に露出することを防止するためのカバー手段を備えたので、衣服の内部（具体的には、着用者の肌又は着用者が着用している下着やおむつ等）が外部に露出することを防止することができ、着用者の利便性を向上させることが可能になる。
【００８３】
付記５に記載の衣服によれば、カバー手段を、当該衣服の内部のうち第１開閉部に対応する部分、挿通孔に対応する部分、及び第２開閉部に対応する部分にわたって設けたので、例えば、カバー手段を挿通孔に対応する部分のみに設けた場合に比べて、着用者が衣服を着用した状態においてカバー部が折り曲げられることで挿通孔を介して当該衣服の内部が外部に露出することを抑制でき、着用者の利便性を一層向上させることが可能になる。
【００８４】
付記６に記載の衣服によれば、カバー手段と着脱自在に接続可能な接続手段であり、カバー手段を挿通孔に対応する部分に位置させた状態を維持するための接続手段を備えたので、カバー部を衣服の内部における挿通孔に対応する部分に位置させた状態を維持でき、衣服の内部が外部に露出することを一層防止することが可能となる。
【符号の説明】
【００８５】
１  衣服
１０  衣服本体
１０ａ  前身頃
１０ｂ  後身頃
１１  股上部分
１２  股下部分
１２ａ  右側股下部分
１２ｂ  左側股下部分
１２ｃ  内側股下部分
１２ｄ  外側股下部分
１３  股底部分
１４  腰口部
１５  裾口部
１６ａ  股上側切欠部
１６ｂ  右股下側切欠部
１６ｃ  左股下側切欠部
１７  持出部
２０  第１股上側開閉部
２１  右側務歯部
３０  第２股上側開閉部
３１  取付部
３２  取付孔
４０  右股下側開閉部
４１  右側務歯部
４２  左側務歯部
４３  上側スライダ部
４４  下側スライダ部
５０  左股下側開閉部
５１  右側務歯部
５２  左側務歯部
５３  上側スライダ部
５４  下側スライダ部
６０  挿通孔
７０  カバー部
７１  第１カバー部
７２  第２カバー部
８０  接続部
８１  係止部
８２  被係止部
【図１】
0003213478.tif 000003
【図２】
0003213478.tif 000004
【図３】
0003213478.tif 000005
【図４】
0003213478.tif 000006
【図５】
0003213478.tif 000007
【図６】
0003213478.tif 000008